【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
複数のブレードサーバで構成されるサーバと、前記ブレードサーバを操作するクライア
ントと、前記サーバを管理する管理サーバとを有するシステムにおけるブレードサーバの
電源制御方法であって、
前記管理サーバは、前記ブレードサーバを使用するユーザを識別するブレードサーバユ
ーザ識別子と前記ブレードサーバとの対応関係を示す情報を有し、
前記クライアントは、前記クライアントを使用するユーザから前記ブレードサーバに対
する電源制御の種別の指定を受け付け、前記クライアントを使用するユーザを識別するク
ライアントユーザ識別子と、前記ブレードサーバを特定する情報と、指定された前記電源
制御の種別に対応する電源制御の種別情報と、を含む電源制御要求を前記管理サーバに送
信し、
前記電源制御要求を受信した前記管理サーバは、前記電源制御要求に含まれる前記クラ
イアントユーザ識別子に対応するブレードサーバユーザ識別子と、前記ブレードサーバを
特定する情報に対応する前記ブレードサーバと、が対応付けられていることを前記対応関
係を示す情報により判定し、
前記ブレードサーバユーザ識別子と前記ブレードサーバとが対応付けられていた場合に
、前記管理サーバは、前記電源制御要求に含まれる前記電源制御の種別情報に対応する電
源制御コマンドを生成し、前記ブレードサーバを特定する情報に対応する前記ブレードサ
ーバに前記電源制御コマンドを送信し、
前記電源制御コマンドを受信した前記ブレードサーバは、受信した前記電源制御コマン
ドに基づいて前記ブレードサーバの電源を制御し、さらに、
前記管理サーバは、ブレードサーバ管理番号に対応づけられた故障の有無に関する管理情報を有し、
前記管理サーバは、前記管理情報の故障が有りの場合には、それに対応する前記ブレードサーバに前記電源制御コマンドを送信しないことを特徴とする電源制御方法。
【請求項２】
前記ブレードサーバは、管理コントローラを有し、
前記電源制御コマンドを前記管理コントローラが受信し、前記管理コントローラが、前
記ブレードサーバの電源制御装置を制御し、前記ブレードサーバの電源制御を行う
ことを特徴とする請求項１記載の電源制御方法。
【請求項３】
前記管理サーバは、クライアントユーザ識別子に対応づけられたユーザの権限に関する
権限情報を有し、
前記管理サーバは、前記権限情報に基づいて、前記電源制御要求に含まれる前記クライ
アントユーザ識別子を有するユーザが権限を有しているかどうかを判定し、
前記クライアントユーザ識別子を有するユーザが権限を有していた場合に、前記ブレー
ドサーバを特定する情報に対応する前記ブレードサーバに前記電源制御コマンドを送信す
ることを特徴とする請求項１又は２に記載の電源制御方法。
【請求項４】
前記サーバの複数のブレードサーバは、複数のグループに分類されており、
前記管理サーバは、前記ブレードサーバと前記ブレードサーバが属するグループとの対
応関係を示す情報を有し、前記グループは前記グループに属するブレードサーバの電源制
御を許された前記クライアントユーザ識別子と対応づけられており、
前記管理サーバは、前記ブレードサーバを特定する情報に対応する前記ブレードサーバ
が、前記電源制御要求に含まれる前記クライアントユーザ識別子に対応づけられたグルー
プに属している場合に、前記ブレードサーバを特定する情報に対応する前記ブレードサー
バに前記電源制御コマンドを送信する。
ことを特徴とする請求項１乃至３のいずれか１項に記載の電源制御方法。
【請求項５】
前記電源制御要求に含まれる前記電源制御の種別情報が、前記ブレードサーバの電源を
オフ、または再起動を示す場合であって、前記ブレードサーバの前記管理コントローラを
介して取得した前記ブレードサーバの電源状態がオンである場合に、前記管理サーバは前
記電源制御コマンドを前記ブレードサーバを特定する情報に対応する前記ブレードサーバ
に送信することを特徴とする請求項２乃至４のいずれか１項に記載の電源制御方法。
【請求項６】
前記ブレードサーバを特定する情報に対応する、前記ブレードサーバのMAC（Media Acc
ess Control）アドレスまたはIP（Internet Protocol）アドレスのうちの少なくともいず
れか、に基づいて前記ブレードサーバに前記電源制御コマンドを送信する
ことを特徴とする請求項１乃至５のいずれか１項に記載の電源制御方法。
【請求項７】
前記電源制御コマンドと共に、前記管理サーバを特定する情報を送信し、
前記電源制御コマンドと前記管理サーバを特定する情報とを受信した前記管理コントロ
ーラは、前記管理サーバを特定する情報に基づいて、前記管理コントローラを有する前記
ブレードサーバの電源制御を実行するかどうかを判定する
ことを特徴とする請求項２乃至６のいずれか１項に記載の電源制御方法。
【請求項８】
前記管理サーバは、前記サーバを構成する複数のブレードサーバの一部であることを特
徴とする請求項１乃至７のいずれか１項に記載の電源制御方法。
【請求項９】
前記電源制御の種別情報は、電源オン、シャットダウン、強制電源オフ、リセット、の
うちの少なくとも１つである
ことを特徴とする請求項１乃至８のいずれか１項に記載の電源制御方法。
【請求項１０】
複数のブレードサーバで構成されるサーバと、前記ブレードサーバを操作するクライア
ントと、前記サーバを管理する管理サーバとを有するシステムであって、
前記クライアントは、
入力装置に入力された操作情報を前記ブレードサーバに送信するリモート操作部と、
前記ブレードサーバから受信する画面情報を表示する表示部と、
前記クライアントを使用するユーザから前記ブレードサーバに対する電源制御の種別の
指定を受け付ける電源制御種別受付部と、
前記クライアントを使用するユーザを識別するクライアントユーザ識別子と、前記ブレ
ードサーバを特定する情報と、指定された前記電源制御の種別に対応する電源制御の種別
情報と、を含む電源制御要求を作成し、前記電源制御要求を送信する電源制御要求発行部
と、を有し、
前記管理サーバは、
前記ブレードサーバを使用するユーザを識別するブレードサーバユーザ識別子と前記ブ
レードサーバとの対応関係を示す情報を格納する記憶装置と、
前記電源制御要求を受信する要求受付部と、
前記電源制御要求に含まれる前記クライアントユーザ識別子に対応するブレードサーバ
ユーザ識別子と、前記ブレードサーバを特定する情報に対応する前記ブレードサーバと、
が対応づけられていることを、前記対応関係を示す情報により判定する判定処理部と、
前記ブレードサーバユーザ識別子と前記ブレードサーバとが対応づけられていた場合に
、前記電源制御要求に含まれる前記電源制御の種別情報に対応する電源制御コマンドを生
成し、前記ブレードサーバを特定する情報に対応する前記ブレードサーバに前記電源制御
コマンドを送信する電源制御コマンド発行部と、を有し、
前記ブレードサーバは、
前記クライアントから受信した前記操作情報に基づいて前記ブレードサーバを操作し、
前記クライアントに操作結果の画面情報を送信するリモート操作サービス部と、
前記電源制御コマンドに基づいて前記ブレードサーバの電源を制御する電源制御装置と
、を有し、さらに、
前記管理サーバは、ブレードサーバ管理番号に対応づけられた故障の有無に関する管理情報を有し、
前記管理サーバは、前記管理情報の特定されたブレードサーバが故障有りの場合には、前記電源制御コマンド発行部は前記電源制御コマンドを送信しないことを特徴とするシステム。
【請求項１１】
前記ブレードサーバは、管理コントローラを有し、
前記電源制御コマンドを前記管理コントローラが受信し、前記管理コントローラが、前
記ブレードサーバの前記電源制御装置を制御し、前記ブレードサーバの電源制御を行う
ことを特徴とする請求項１０記載のシステム。
【請求項１２】
前記管理サーバは、
ユーザ識別子に対応づけられたユーザの権限に関する権限情報を有し、
前記判定処理部は、前記権限情報に基づいて、前記電源制御要求に含まれる前記クライ
アントユーザ識別子を有するユーザが権限を有しているかどうかを判定し、
前記電源制御コマンド発行部は、前記クライアントユーザ識別子を有するユーザが権限
を有していた場合に、前記ブレードサーバを特定する情報に対応する前記ブレードサーバ
に前記電源制御コマンドを送信する
ことを特徴とする請求項１０または１１に記載のシステム。
【請求項１３】
前記サーバの複数のブレードサーバは、複数のグループに分類されており、
前記管理サーバの前記記憶装置は、前記複数のブレードサーバと前記ブレードサーバが
属するグループとの対応関係を示す情報を有し、前記グループは前記グループに属するブ
レードサーバの電源制御を許された前記クライアントユーザ識別子に対応付けられており
、
前記管理サーバは、前記ブレードサーバを特定する情報に対応する前記ブレードサーバ
が、前記電源制御要求に含まれる前記クライアントユーザ識別子に対応づけられたグルー
プに属している場合に、前記ブレードサーバを特定する情報に対応する前記ブレードサー
バに前記電源制御コマンドを送信することを特徴とする請求項１０乃至１２のいずれか１項に記載のシステム。
【請求項１４】
前記電源制御要求に含まれる前記電源制御の種別情報が、前記ブレードサーバの電源を
オフ、または再起動を示す場合であって、前記ブレードサーバの前記管理コントローラを
介して取得した前記ブレードサーバの電源状態がオンである場合に、前記電源制御コマン
ド発行部は前記電源制御コマンドを前記ブレードサーバを特定する情報に対応する前記ブ
レードサーバに送信する
ことを特徴とする請求項１１乃至１３のいずれか１項に記載のシステム。
【請求項１５】
前記電源制御コマンド発行部は、前記ブレードサーバを特定する情報に対応する、前記
ブレードサーバのMAC（Media Access Control）アドレスまたはIP（Internet Protocol）
アドレスのうちの少なくともいずれか、に基づいて前記ブレードサーバに前記電源制御コ
マンドを送信する
ことを特徴とする請求項１０乃至１４のいずれか１項に記載のシステム。
【請求項１６】
前記電源制御コマンド発行部は、前記電源制御コマンドと共に、前記管理サーバを特定
する情報を送信し、
前記ブレードサーバの前記管理コントローラは、前記電源制御コマンドと共に受信した
前記管理サーバを特定する情報に基づいて、前記管理コントローラを有する前記ブレード
サーバの電源制御を実行するかどうかを判定する
ことを特徴とする請求項１１乃至１５のいずれか１項に記載のシステム。
【請求項１７】
前記管理サーバは、前記サーバを構成する複数のブレードサーバの一部であることを特
徴とする請求項１０乃至１６のいずれか１項に記載のシステム。
【請求項１８】
前記電源制御の種別情報は、電源オン、シャットダウン、強制電源オフ、リセット、の
うちの少なくとも１つである
ことを特徴とする請求項１０乃至１７のいずれか１項に記載のシステム。
【請求項１９】
複数のブレードサーバで構成されるサーバを管理する管理サーバであって、
前記クライアントを使用するユーザと前記ブレードサーバとの対応関係を示す情報を格
納する記憶装置と、
クライアントを使用するユーザを識別するクライアントユーザ識別子と、前記ブレード
サーバを特定する情報と、前記クライアントを使用するユーザにより指定された電源制御
の種別に対応する電源制御の種別情報と、を含む電源制御要求を受信する要求受付部と、
前記電源制御要求に含まれる前記クライアントユーザ識別子に対応するブレードサーバ
ユーザ識別子と、前記ブレードサーバを特定する情報に対応する前記ブレードサーバと、
が対応づけられていることを、前記対応関係を示す情報により判定する判定処理部と、
前記ブレードサーバユーザ識別子と前記ブレードサーバとが対応づけられていた場合に
、前記電源制御要求に含まれる前記電源制御の種別情報に対応する電源制御コマンドを生
成し、前記ブレードサーバを特定する情報に対応する前記ブレードサーバに前記電源制御
コマンドを送信する電源制御コマンド発行部と、
を有し、さらに、
ブレードサーバ管理番号に対応づけられた故障の有無に関する管理情報を有し、
前記管理情報の特定されたブレードサーバが故障有りの場合には、前記電源制御コマンド発行部は、前記電源制御コマンドを送信しないことを特徴とする管理サーバ。
【請求項２０】
ユーザ識別子に対応づけられたユーザの権限に関する権限情報を有し、
前記判定処理部は、前記権限情報に基づいて、前記電源制御要求に含まれる前記クライ
アントユーザ識別子を有するユーザが権限を有しているかどうかを判定し、
前記電源制御コマンド発行部は、前記クライアントユーザ識別子を有するユーザが権限
を有していた場合に、前記ブレードサーバを特定する情報に対応する前記ブレードサーバ
に前記電源制御コマンドを送信する
ことを特徴とする請求項１９に記載の管理サーバ。
【請求項２１】
前記サーバの複数のブレードサーバは、複数のグループに分類されており、
前記管理サーバの前記記憶装置は、前記複数のブレードサーバと前記ブレードサーバが
属するグループとの対応関係を示す情報を有し、前記グループは前記グループに属するブ
レードサーバの電源制御を許された前記クライアントユーザ識別子に対応付けられており
、
前記管理サーバは、前記ブレードサーバを特定する情報に対応する前記ブレードサーバ
が、前記電源制御要求に含まれる前記クライアントユーザ識別子に対応づけられたグルー
プに属している場合に、前記ブレードサーバを特定する情報に対応する前記ブレードサー
バに前記電源制御コマンドを送信する。
ことを特徴とする請求項１９または２０に記載の管理サーバ。
【請求項２２】
前記電源制御要求に含まれる前記電源制御の種別情報が、前記ブレードサーバの電源を
オフ、または再起動を示す場合であって、前記ブレードサーバの前記管理コントローラを
介して取得した前記ブレードサーバの電源状態がオンである場合に、前記電源制御コマン
ド発行部は前記電源制御コマンドを前記ブレードサーバを特定する情報に対応する前記ブ
レードサーバに送信することを特徴とする請求項１９乃至２１のいずれか１項に記載の管理サーバ。
【請求項２３】
前記電源制御コマンド発行部は、前記ブレードサーバを特定する情報に対応する、前記
ブレードサーバのMAC（Media Access Control）アドレスまたはIP（Internet Protocol）
アドレスのうちの少なくともいずれか、に基づいて前記ブレードサーバに前記電源制御コ
マンドを送信することを特徴とする請求項１９乃至２２のいずれか１項に記載の管理サーバ。
【請求項２４】
前記管理サーバは、前記サーバを構成する複数のブレードサーバの一部であることを特
徴とする請求項１９乃至２３のいずれか１項に記載の管理サーバ。
【請求項２５】
前記電源制御の種別情報は、電源オン、シャットダウン、強制電源オフ、リセット、の
うちの少なくとも１つである
ことを特徴とする請求項１９乃至２４のいずれか１項に記載の管理サーバ。